【手続補正書】
【提出日】平成20年11月7日(2008.11.7)
【手続補正１】
【補正対象書類名】明細書
【補正対象項目名】特許請求の範囲
【補正方法】変更
【補正の内容】
【特許請求の範囲】
【請求項１】  被写体を撮像する撮像手段と、前記撮像手段により撮像された画像の画像データを記憶媒体に記憶させる記憶手段と、前記記憶媒体に記憶された画像データを外部記憶装置へ転送するための通信手段とを備えた電子機器において、
前記画像データの前記通信手段による転送を指示する転送指示操作部と、
前記画像データの転送が進行中は前記画像データが転送されていることを示す転送マークを表示し、かつ前記画像データの転送終了により、表示を変えて転送が終了したことを示す転送終了マークを表示する表示手段と、
外部電源が接続可能な外部電源接続端子と、
前記外部電源接続端子に前記外部電源が接続されているか否かを判別する判別手段と、
前記判別手段により前記外部電源接続端子に前記外部電源が接続されていないと判別されると前記画像データの転送終了から所定時間後に電子機器の電源をオフし、前記判別手段により前記外部電源接続端子に前記外部電源が接続されていると判別されると前記画像データの転送終了から所定時間後であっても電源をオフすることがない電源制御手段とを備え、
前記電源制御手段は前記外部記憶装置から受信した情報により前記転送の
終了を確認する転送終了確認手段を備え、
前記外部記憶装置から受信した情報は前記転送の終了のメッセージが記載されたテキストファイルを含み、前記テキストファイルは前記記憶手段により前記記憶媒体に記憶されることを特徴とする電子機器。
【請求項２】  請求項１に記載の電子機器において、
前記表示手段は前記外部記憶装置が前記画像データの転送終了を通知すると前記転送終了マークを表示することを特徴とする電子機器。
【請求項３】  被写体を撮像する撮像手段と、前記撮像手段により撮像された画像の画像データを記憶媒体に記憶させる記憶手段と、前記記億媒体に記憶された画像データを外部記憶装置へ転送するための通信手段とを備えた電子機器において、
前記画像データの前記通信手段による転送を指示する転送指示操作部と、
前記画像データの転送終了により、電子機器の電源のオフを許可するマークを表示する表示手段とを備えたことを特徴とする電子機器。
【請求項４】  請求項３に記載の電子機器において、
駆動用内蔵バッテリを備えることを特徴とする電子機器。
【請求項５】  請求項４に記載の電子機器において、
外部電源が接続可能な外部電源接続端子と、
前記外部電源接続端子に前記外部電源が接続されているか否かを判別する判別手段と、
前記判別手段により前記外部電源が接続されてないと判別されると前記表示手段による前記マークの表示を許可し、前記判別手段により前記外部電源が接続されていると判別されると前記表示手段による前記マークの表示を禁止する制御手段とを設けたことを特徴とする電子機器。
【請求項６】  請求項３〜請求項５のいずれかに記載の電子機器において、
前記画像データの転送終了から所定時間後に電子機器の電源をオフするようにしたことを特徴とする電子機器。
【請求項７】  （ａ）情報入力手段を有する外部記憶装置と、
（ｂ）電子機器であって、被写体を撮像する撮像手段と、前記撮像手段により撮像された画像の画像データを記憶媒体に記憶させる記憶手段と、前記記憶媒体に記憶された画像データの外部への出力が可能な情報出力手段と、前記電子機器と外部電源とを接続する外部電源接続端子と、前記外部電源が前記外部電源接続端子を介して前記電子機器に接続されているか否かを判断する判断手段と、前記画像データの前記情報出力手段を介した転送を指示する転送指示操作部とを備え、低消費電力モードで動作可能な電子機器と、
（ｃ）前記情報出力手段から前記情報入力手段へと前記画像データを伝達する伝達手段とを備え、
前記転送指示操作部の指示により、前記伝達手段を介した前記電子機器から前記外部記憶装置への画像データの転送を開始し、前記判別手段により前記外部電源接続端子に前記外部電源が接続されていないと判別されると転送終了後に前記伝達手段を介した前記外部記憶装置からの指示により前記電子機器を低消費電力モードとするようにし、前記判別手段により前記外部電源接続端子に前記外部電源が接続されていると判別されると転送終了後に前記伝達手段を介した前記外部記憶装置からの指示があっても前記電子機器を低消費電力モードとしないようにしたことを特徴とする電子機器システム。
【手続補正２】
【補正対象書類名】明細書
【補正対象項目名】０００６
【補正方法】変更
【補正の内容】
【０００６】
【課題を解決するための手段】
発明の実施の形態を示す図２，図５および図８に対応付けて説明する。
（１）請求項１の発明は、被写体を撮像する撮像手段と、前記撮像手段により撮像された画像の画像データを記憶媒体に記憶させる記憶手段と、前記記憶媒体に記憶された画像データを外部記憶装置へ転送するための通信手段とを備えた電子機器において、前記画像データの前記通信手段による転送を指示する転送指示操作部と、前記画像データの転送が進行中は前記画像データが転送されていることを示す転送マークを表示し、かつ前記画像データの転送終了により、表示を変えて転送が終了したことを示す転送終了マークを表示する表示手段と、外部電源が接続可能な外部電源接続端子と、前記外部電源接続端子に前記外部電源が接続されているか否かを判別する判別手段と、前記判別手段により前記外部電源接続端子に前記外部電源が接続されていないと判別されると前記画像データの転送終了から所定時間後に電子機器の電源をオフし、前記判別手段により前記外部電源接続端子に前記外部電源が接続されていると判別されると前記画像データの転送終了から所定時間後であっても電源をオフすることがない電源制御手段とを備え、前記電源制御手段は前記外部記憶装置から受信した情報により前記転送の終了を確認する転送終了確認手段を備え、前記外部記憶装置から受信した情報は前記転送の終了のメッセージが記載されたテキストファイルを含み、前記テキストファイルは前記記憶手段により前記記憶媒体に記憶されるようにして上述の目的を達成する。
（２）請求項２の発明は、請求項１に記載の電子機器において、前記表示手段は前記外部記憶装置が前記画像データの転送終了を通知すると前記転送終了マークを表示するようにしたものである。
（３）請求項３の発明は、被写体を撮像する撮像手段と、前記撮像手段により撮像された画像の画像データを記憶媒体に記憶させる記憶手段と、前記記億媒体に記憶された画像データを外部記憶装置へ転送するための通信手段とを備えた電子機器において、前記画像データの前記通信手段による転送を指示する転送指示操作部と、前記画像データの転送終了により、電子機器の電源のオフを許可するマークを表示する表示手段とを備えて上述の目的を達成する。
（４）請求項４の発明は、請求項３に記載の電子機器において、駆動用内蔵バッテリを備えたものである。
（５）請求項５の発明は、請求項４に記載の電子機器において、外部電源が接続可能な外部電源接続端子と、前記外部電源接続端子に前記外部電源が接続されているか否かを判別する判別手段と、前記判別手段により前記外部電源が接続されてないと判別されると前記表示手段による前記マークの表示を許可し、前記判別手段により前記外部電源が接続されていると判別されると前記表示手段による前記マークの表示を禁止する制御手段とを設けたものである。
（６）請求項５の発明は、請求項３〜請求項５のいずれかに記載の電子機器において、前記画像データの転送終了から所定時間後に電子機器の電源をオフするようにしたものである。
（７）請求項７の発明の電子機器システムは、（ａ）情報入力手段を有する外部記憶装置と、（ｂ）電子機器であって、被写体を撮像する撮像手段と、前記撮像手段により撮像された画像の画像データを記憶媒体に記憶させる記憶手段と、前記記憶媒体に記憶された画像データの外部への出力が可能な情報出力手段と、前記電子機器と外部電源とを接続する外部電源接続端子と、前記外部電源が前記外部電源接続端子を介して前記電子機器に接続されているか否かを判断する判断手段と、前記画像データの前記情報出力手段を介した転送を指示する転送指示操作部とを備え、低消費電力モードで動作可能な電子機器と、（ｃ）前記情報出力手段から前記情報入力手段へと前記画像データを伝達する伝達手段とを備え、前記転送指示操作部の指示により、前記伝達手段を介した前記電子機器から前記外部記憶装置への画像データの転送を開始し、前記判別手段により前記外部電源接続端子に前記外部電源が接続されていないと判別されると転送終了後に前記伝達手段を介した前記外部記憶装置からの指示により前記電子機器を低消費電力モードとするようにし、前記判別手段により前記外部電源接続端子に前記外部電源が接続されていると判別されると転送終了後に前記伝達手段を介した前記外部記憶装置からの指示があっても前記電子機器を低消費電力モードとしないようにしたことにより上述の目的を達成する。